(57)【要約】【課題】車内の温度上昇を自動抑制すると共に、車所有者が車外から車内温度を制御する。【解決手段】車両内に設置し車内状況を監視する車載モニタ装置１と、車所有者が携帯し無線通信機能を有する通信装置２とを備え、前記車載モニタ装置１は、前記通信装置２との間で無線通信を行う通信部１１と、車内温度を検出する温度センサ１２と、該温度センサ１２で検出した温度に応じて車内温度を制御する車内温度制御手段と、前記車内温度制御手段で制御した制御状況を前記通信部１１によって前記通信装置２に対して送信する制御状況通知手段とを有し、前記通信装置２は、前記車内温度制御手段の制御設定情報を前記通信部１１に対して送信し、前記車内温度制御手段は、前記通信部１１で前記通信装置２から送信された制御設定情報を受信したとき、前記通信装置２から送信された制御設定情報に基づいて車内温度を制御する制御変更手段を備える。【選択図】      図３
2005112129.tif 000002
【特許請求の範囲】
【請求項１】
車両内に設置し車内状況を監視する車載モニタ手段と、車所有者が携帯し無線通信機能を有する車外送受信手段とを備え、前記車載モニタ手段は、前記車外送受信手段との間で無線通信を行う車載送受信手段と、車内温度を検出する温度検出手段と、該温度検出手段で検出した温度に応じて車内温度を制御する車内温度制御手段と、前記車内温度制御手段で制御した制御状況を前記車載送受信手段によって前記車外送受信手段に対して送信する制御状況通知手段とを有し、前記車外送受信手段は、前記車内温度制御手段の制御設定情報を前記車載送受信手段に対して送信し、前記車内温度制御手段は、前記車載送受信手段で前記車外送受信手段から送信された制御設定情報を受信したとき、前記車外送受信手段から送信された制御設定情報に基づいて車内温度を制御する温度制御変更手段を備えていることを特徴とする車載モニタシステム。
【請求項２】
前記車内温度制御手段は、車両に搭載された換気ファンを制駆動するファン制御手段と、車窓を開閉する車窓制御手段と、エアコンを制駆動する冷房制御手段とを備えていることを特徴とする請求項１に記載の車載モニタシステム。
【請求項３】
前記車載モニタ手段は、車載用バッテリーと、太陽電池とを備え、前記ファン制御手段は前記太陽電池の出力によりファンを駆動し、前記車窓制御手段は前記バッテリーの出力により車窓を開閉し、前記冷房制御手段は前記バッテリーの出力によりエアコンを駆動するように構成されていることを特徴とする請求項２に記載の車載モニタシステム。
【請求項４】
前記車載モニタ手段は、前記バッテリーの電圧を検出する電圧検出手段を備え、前記車内温度制御手段は、前記電圧検出手段で検出した電圧値が設定値以上であるとき、前記冷房制御手段でエアコンを駆動するように構成されていることを特徴とする請求項３に記載の車載モニタシステム。
【請求項５】
前記車載モニタ手段は、車外の雨滴を検出する雨滴検出手段を備え、前記車内温度制御手段は、前記雨滴検出手段で雨滴を検出したとき、前記車窓制御手段で車窓を閉成するように構成されていることを特徴とする２乃至４の何れかに記載の車載モニタシステム。
【請求項６】
前記車載モニタ手段は、車両内への侵入を検出する侵入検出手段と、該侵入検出手段で車両内への侵入を検出したときに警報を発する警報手段と、前記侵入検出手段で車両内への侵入を検出したとき、車両侵入状況を前記車載送受信手段によって前記車外送受信手段に対して送信する侵入通知手段を備えていることを特徴とする請求項１乃至５の何れかに記載の車載モニタシステム。
【請求項７】
温度検出手段で車内温度を検出し、該温度検出手段で検出した温度に応じて車内温度を制御する車内温度制御方法において、
前記温度検出手段で検出した温度が設定温度以上であるとき、車両に搭載された換気ファンを駆動するステップと、前記ファンを所定時間駆動した後に前記温度検出手段で検出した温度が設定温度以上であるとき、車窓を開放するステップと、前記車窓を所定時間開放した後に前記温度検出手段で検出した温度が設定温度以上であるとき、エアコンを駆動するステップとを備えていることを特徴とする車内温度制御方法。
【発明の詳細な説明】
【技術分野】
【０００１】
本発明は、車内の温度上昇を自動抑制するようにした車載モニタシステム及び車内温度制御方法に関する。
【背景技術】
【０００２】
従来の車載モニタシステムとしては、例えば温度センサの検出信号に基づく車内温度が、照度センサで検出した照度に応じて設定される駆動設定温度以上であるときに、太陽電池の出力によりモータを駆動し、このモータによってブロアファンを駆動して車内温度の上昇を防止するというものが知られている（例えば、特許文献１参照）。
【特許文献１】特開平１１−１６５５３１号公報（第４頁、図４）
【発明の開示】
【発明が解決しようとする課題】
【０００３】
しかしながら、上記従来の車載モニタシステムにあっては、ブロアファンを駆動する駆動設定温度は、照度センサで検出した照度に応じて自動設定されるので、車所有者の所望温度に設定することはできないという未解決の課題がある。
また、車内温度が駆動設定温度以上にならないと車内換気制御が作動しないので、車所有者の所望のタイミングで車内換気制御を作動させる、例えば、車所有者が車内に戻る直前に車内換気制御を作動させることはできないという未解決の課題がある。
【０００４】
そこで、本発明は、上記従来例の未解決の課題に着目してなされたものであり、車内の温度上昇を自動抑制すると共に、車所有者が車外から車内温度を制御することができる車載モニタシステム及び車内温度制御方法を提供することを目的としている。
【課題を解決するための手段】
【０００５】
上記目的を達成するために、第１の技術手段は、車両内に設置し車内状況を監視する車載モニタ手段と、車所有者が携帯し無線通信機能を有する車外送受信手段とを備え、前記車載モニタ手段は、前記車外送受信手段との間で無線通信を行う車載送受信手段と、車内温度を検出する温度検出手段と、該温度検出手段で検出した温度に応じて車内温度を制御する車内温度制御手段と、前記車内温度制御手段で制御した制御状況を前記車載送受信手段によって前記車外送受信手段に対して送信する制御状況通知手段とを有し、前記車外送受信手段は、前記車内温度制御手段の制御設定情報を前記車載送受信手段に対して送信し、前記車内温度制御手段は、前記車載送受信手段で前記車外送受信手段から送信された制御設定情報を受信したとき、前記車外送受信手段から送信された制御設定情報に基づいて車内温度を制御する温度制御変更手段を備えていることを特徴としている。
【０００６】
これにより、温度センサによって検出した車内温度に応じて車内温度を制御するので、自動的に車内温度の上昇を防止することができる。また、車所有者が無線通信によって車両内の温度制御の設定を制御するので、車内温度を車所有者の所望の温度に設定することができると共に、車所有者の所望のタイミングで車両内の温度制御を作動させることができる。
【０００７】
また、第２の技術手段は、前記車内温度制御手段は、車両に搭載された換気ファンを制駆動するファン制御手段と、車窓を開閉する車窓制御手段と、エアコンを制駆動する冷房制御手段とを備えていることを特徴としている。
これにより、ファンの駆動によって車内送風を行い、車窓の開閉によって車内換気を行い、エアコンの駆動によって車内冷房を行うので、効率的に車内温度の制御を行うことができる。
【０００８】
また、第３の技術手段は、前記車載モニタ手段は、車載用バッテリーと、太陽電池とを備え、前記ファン制御手段は前記太陽電池の出力によりファンを駆動し、前記車窓制御手段は前記バッテリーの出力により車窓を開閉し、前記冷房制御手段は前記バッテリーの出力によりエアコンを駆動するように構成されていることを特徴としている。
これにより、車載バッテリーを搭載しているので、比較的消費電力の多い車窓の開閉及びエアコンの駆動を行うことができ、車載バッテリーの補助として太陽電池を搭載し、比較的消費電力の少ないファンは太陽電池によって駆動するので、車載バッテリーの電圧消費を抑制することができる。
【０００９】
また、第４の技術手段は、前記車載モニタ手段は、前記バッテリーの電圧を検出する電圧検出手段を備え、前記車内温度制御手段は、前記電圧検出手段で検出した電圧値が設定値以上であるとき、前記冷房制御手段でエアコンを駆動するように構成されていることを特徴としている。
これにより、車載バッテリーの電圧が設定電圧以上のときにエアコンを作動するので、効率良く車内を冷房することができる。
【００１０】
また、第５の技術手段は、前記車載モニタ手段は、車外の雨滴を検出する雨滴検出手段を備え、前記車内温度制御手段は、前記雨滴検出手段で雨滴を検出したとき、前記車窓制御手段で車窓を閉成するように構成されていることを特徴としている。
これにより、雨滴を検出したときに車窓やサンルーフを閉めるので、雨が車内へ吹き込むことを確実に防止することができる。
【００１１】
また、第６の技術手段は、前記車載モニタ手段は、車両内への侵入を検出する侵入検出手段と、該侵入検出手段で車両内への侵入を検出したときに警報を発する警報手段と、前記侵入検出手段で車両内への侵入を検出したとき、車両侵入状況を前記車載送受信手段によって前記車外送受信手段に対して送信する侵入通知手段を備えていることを特徴としている。
【００１２】
これにより、車内への侵入を検知したときに警報を発するので、車両内への侵入者に対して警告を与えることができると共に、車両周辺の人に異常を報知することができ、侵入者による車内での盗難作業への発展を防止することができる。また、侵入を検知したときに車所有者に対してこれを通知するので、車所有者は車内での異常を速やかに把握して対応することができる。
【００１３】
また、第７の技術手段は、前記温度検出手段で検出した温度が設定温度以上であるとき、車両に搭載された換気ファンを駆動するステップと、前記ファンを所定時間駆動した後に前記温度検出手段で検出した温度が設定温度以上であるとき、車窓を開放するステップと、前記車窓を所定時間開放した後に前記温度検出手段で検出した温度が設定温度以上であるとき、エアコンを駆動するステップとを備えていることを特徴としている。
【００１４】
これにより、先ず、車内温度が設定温度以上であるときにはファンを駆動し、ファンを所定時間駆動した後、車内温度が設定温度まで下がらない場合には窓やサンルーフを開け、窓を所定時間開けた後、まだ車内温度が設定温度まで下がらない場合にはエアコンを駆動する。このように、段階的に各制御を作動させるので、車載バッテリーの消費を抑えつつ効率的に車内温度制御を行うことができる。
【発明を実施するための最良の形態】
【００１５】
以下、本発明の実施の形態を図面に基づいて説明する。
【実施例１】
【００１６】
図１は本発明の実施形態を示す概略構成図であり、図中１は車載モニタ装置、２は車所有者が携帯する車外送受信手段としての通信装置であって、例えば無線通信機能を有する携帯電話で構成されている。そして、車載モニタ装置１と通信装置２との間では、基地局３を介して無線通信が行われる。
車載モニタ装置１では、予め車所有者が設定した設定情報に基づいて車内温度を制御すると共に、車内への侵入者の有無を監視し、所定の無線通信方式を用いて、車所有者が携帯する通信装置２に対して車内の制御状況を送信すると共に、通信装置２から送信された制御設定情報を受信し、車内温度制御の設定を変更する。
【００１７】
即ち、通信装置２では、所定の無線通信方式を用いて、車載モニタ装置１に対して車内温度制御の設定温度や車内温度制御の作動指令等の制御設定情報を送信すると共に、車載モニタ装置１から送信された制御状況を受信する。これにより、車所有者はリアルタイムで車内状況を把握することができる。
車載モニタ装置１は、図２に示すブロック図で構成されており、通信装置２との間で無線通信を行う車載送受信手段としての通信部１１を備え、この通信部１１は、電波等の所定の無線通信方式を用いて制御状況の送信及び制御設定情報の受信を行う。また、後述する温度制御コントローラ２０との間で、通信装置２へ送信する制御状況信号ＳCの受け取り、及び通信装置２から受信した車内温度制御の所望設定温度ＦTと作動指令ＦAの受け渡しを行うように構成されている。さらに、後述する警報制御コントローラ２２との間で、通信装置２へ送信する警報状況信号ＳWAの受け取りを行うように構成されている。
【００１８】
また、車載モニタ装置１には、車内温度を測定する温度検出手段としての温度センサ１２と、車外の雨滴を検出する雨滴検出手段としての雨滴センサ１３と、車載バッテリー２５と、車載バッテリー２５の充電電圧Ｖを検出する電圧検出手段としての充電電圧センサ２６と、太陽光線を電気エネルギーに変換して蓄積する太陽電池２７とが設けられている。
【００１９】
そして、温度センサ１２から出力される測定温度Ｔが温度制御コントローラ２０に入力され、この温度制御コントローラ２０によって、測定温度Ｔが車所有者によって変更可能な設定温度ＴSET以上であるときに車内温度を自動的に下げるように制御する温度制御信号を温度制御駆動部２１へ出力する。
温度制御駆動部２１は、太陽電池２７の出力によって窓ガラスの近傍に装備された換気ファンを制駆動するファン制御手段としてのファン制駆動部１５と、バッテリー２５の出力によって窓及びサンルーフを開閉する車窓制御手段としての車窓制駆動部１６と、バッテリー２５の出力によってエアコンを制駆動する冷房制御手段としてのエアコン制駆動部１７とを備えている。
【００２０】
温度制御コントローラ２０から温度制御信号であるファン制駆動指令値ＳFがファン制駆動部１５に入力されたときには、ファンを駆動させることにより車内送風を行い、車窓制駆動指令値ＳWが車窓制駆動部１６に入力されたときには、窓及びサンルーフを所定量だけ開放することにより車内換気を行い、エアコン制駆動指令値ＳAがエアコン制駆動部１７に入力されたときには、エアコンを駆動させることにより車内を冷房するように構成されている。
【００２１】
そして、このように車内温度制御が行われたときには、温度制御コントローラ２０で、ファン、車窓又はエアコンによって車内の温度上昇を抑制するための制御が行われたことを車所有者へ通知するための制御状況信号ＳCを通信部１１に出力するように構成されている。
この温度制御コントローラ２０と温度制御駆動部２１が車内温度制御手段に対応している。
【００２２】
また、車内の座席シート等には、振動を検知する侵入検出手段としての振動センサ１４が設置されており、振動センサ１４で検知した振動値Ｆbは警報制御コントローラ２２に出力される。
この警報制御コントローラ２２では、振動センサ１４から入力された振動値Ｆbに基づいて車内への侵入者の有無を判断し、侵入を検知したときには、車内に設置されたアラーム等で構成される警報手段としての警報装置１８に警報発生指令値ＳALを出力する。これにより、車内への侵入者に対して所定時間警報を発することができると共に、車両周辺に車内での異常を報知する。
【００２３】
さらに、このように侵入者を検知して警報を発したときには、警報制御コントローラ２２で、車内に異常が発生したことを車所有者へ通知するための警報状況信号ＳWAを通信部１１に出力するように構成されている。
温度制御コントローラ２０では、図３に示す車内温度制御処理を実行する。
この車内温度制御処理は、所定時間毎のタイマ割込処理として実行され、先ず、ステップＳ１で、温度センサ１２で測定した測定温度Ｔ、雨滴センサ１３で検出した雨滴センサ値Ｆaを読込み、ステップＳ２に移行する。
【００２４】
ステップＳ２では、車所有者が携帯する通信装置２から制御設定信号が送信されているか否かを判定する。この判定は、通信部１１から入力される所望設定温度ＦT及びエアコン作動指令ＦAを読込むことにより行い、所望設定温度ＦT又はエアコン作動指令ＦAが入力されているときには、制御設定信号を受信しているものと判断してステップＳ３に移行し、そうでないときには後述するステップＳ１０に移行する。
【００２５】
そして、ステップＳ３で、所望設定温度ＦTが入力されているか否かを判定し、所望設定温度ＦTが入力されているときにはステップＳ４に移行して、車所有者が送信した所望設定温度ＦTを設定温度ＴSETとして更新してからステップＳ５に移行し、前記ステップＳ３の判定結果が、所望設定温度ＦTが入力されていないときには、そのままステップＳ５に移行する。
【００２６】
ステップＳ５では、エアコン作動指令ＦAが入力されているか否かを判定し、エアコン作動指令ＦAが入力されていないときには後述するステップＳ１０に移行し、エアコン作動指令ＦAが入力されているときには、エアコンを強制的に作動させるものと判断してステップＳ６に移行し、バッテリー２５の電力残量を判定する。
ステップＳ６では、充電電圧センサ２６で検出したバッテリー電圧Ｖがエアコンを作動可能な設定電圧ＶSET以上であるか否かの判定を行い、Ｖ≧ＶSETであるときには、ステップＳ７に移行して窓及びサンルーフを閉成させるための車窓制駆動指令値ＳWを車窓制駆動部１６に出力して窓及びサンルーフを閉める。次いで、ステップＳ８に移行して、エアコンを作動させるためのエアコン制駆動指令値ＳAをエアコン制駆動部１７に出力してエアコンを作動し、ステップＳ９に移行する。
【００２７】
一方、前記ステップＳ６の判定結果がＶ＜ＶSETであるときには、バッテリー電圧が少ないため、エアコンを作動することはできないと判断して、そのままステップＳ９に移行する。
ステップＳ９では、車所有者により送信された制御設定情報に対する制御状況、即ち設定温度ＴSETの更新やエアコン作動の可否を車所有者に通知するための制御状況信号ＳCを通信部１１に出力してタイマ割込処理を終了する。
【００２８】
また、ステップＳ１０では、温度センサ１２で測定した測定温度Ｔが、設定温度ＴSET以上であるか否かを判定し、Ｔ＜ＴSETであるときには、車内温度制御を行う必要はないと判断してステップＳ１１に移行し、温度制御を行うファン、車窓及びエアコンをすべて非作動とするための指令値ＳF、ＳW及びＳAを各制駆動部１５〜１７に出力してからタイマ割込処理を終了する。
【００２９】
一方、Ｔ≧ＴSETであるときには、ステップＳ１２に移行し、ファンが駆動しているか否かを判定する。ファンが駆動していないときには、ステップＳ１３に移行して窓及びサンルーフが開放されているか否かを判定する。そして、このステップＳ１３で、窓及びサンルーフが閉まっていると判断されたときには、ステップＳ１４に移行してエアコンが作動しているか否かを判定する。
【００３０】
前記ステップＳ１４の判定結果が、エアコンが作動しているときにはそのままタイマ割込処理を終了し、エアコンが作動していないときには、ステップＳ１５に移行して、ファンを駆動させるためのファン制駆動指令値ＳFをファン制駆動部１５に出力すると共に、ファンが駆動している時間を計測するソフトウェアタイマで構成される継続時間タイマのカウント値Ｎ1を“０”にクリアする。
【００３１】
次いで、ステップＳ１６で、ファンを駆動したことを車所有者に通知するための制御状況信号ＳCを通信部１１に出力してタイマ割込処理を終了する。
また、前記ステップＳ１２の判定結果が、すでにファンを駆動しているときには、ステップＳ１７に移行し、ファンを駆動してから所定時間経過したか否かを判定する。
この判定は、ファンが駆動している時間を計測するカウント値Ｎ1が、所定時間ｔ1に相当する設定値ＮS1以上であるか否かによって行い、Ｎ1＜ＮS1であるときには、所定時間が経過していないものと判断してステップＳ１８に移行し、カウント値Ｎ1をインクリメントしてからタイマ割込処理を終了する。
【００３２】
一方、前記ステップＳ１７の判定結果が、Ｎ1≧ＮS1であるときには、所定時間が経過したものと判断してステップＳ１９に移行し、ファンを停止してからステップＳ２０に移行する。
ステップＳ２０では、雨滴センサ１３で検出した雨滴センサ値Ｆaが、雨が降っていると判断できる所定値ＦaTH以上であるか否かを判定し、Ｆa≧ＦaTHであるときには、雨が車内に侵入するため窓及びサンルーフを開放することはできないと判断して後述するステップＳ２７に移行する。
【００３３】
一方、ステップＳ２０の判定結果が、Ｆa＜ＦaTHであるときには、窓及びサンルーフを開放しても問題ないと判断してステップＳ２１に移行して、窓及びサンルーフを開放させるための車窓制駆動指令値ＳWを車窓制駆動部１６に出力することにより窓及びサンルーフを開放すると共に、窓及びサンルーフを開放している時間を計測するソフトウェアタイマで構成される継続時間タイマのカウント値Ｎ2を“０”にクリアする。
【００３４】
次いでステップＳ２２に移行して、窓及びサンルーフを開放したことを車所有者に通知するための制御状況信号ＳCを通信部１１に出力してタイマ割込処理を終了する。
また、前記ステップＳ１３の判定結果が、窓及びサンルーフが開放されているときには、ステップＳ２３に移行して、前記ステップＳ２０と同様に雨滴センサ１３の雨滴センサ値Ｆaに基づいて雨が降っているか否かを判定する。
【００３５】
ステップＳ２３の判定結果が、Ｆa≧ＦaTHであるときには、雨が降ってきたと判断してステップＳ２４に移行し、窓及びサンルーフを閉成させるための車窓制駆動指令値ＳWを車窓制駆動部１６に出力して窓及びサンルーフを閉め、後述するステップＳ２７に移行する。
一方、前記ステップＳ２３の判定結果が、Ｆa＜ＦaTHであるときにはステップＳ２５に移行して、窓及びサンルーフを開放してから所定時間経過したか否かを判定する。
【００３６】
この判定は、窓及びサンルーフを開放している時間を計測するカウント値Ｎ2が、所定時間ｔ2に相当する設定値ＮS2以上であるか否かによって行い、Ｎ2＜ＮS2であるときには、所定時間が経過していないものと判断してステップＳ２６に移行し、カウント値Ｎ2をインクリメントしてからタイマ割込処理を終了する。
前記ステップＳ２５の判定結果が、Ｎ2≧ＮS2であるときには、所定時間が経過したものと判断して前記ステップＳ２４に移行し、窓及びサンルーフを閉成してからステップＳ２７に移行する。
【００３７】
このステップＳ２７では、前記ステップＳ６と同様にバッテリー２５の電圧Ｖに基づいて、エアコンを作動可能か否かを判定し、Ｖ≧ＶSETのときには、ステップＳ２８に移行してエアコンを作動させるためのエアコン制駆動指令値ＳAをエアコン駆動部１７に出力する。次いで、ステップＳ２９に移行してエアコンを作動したことを車所有者に通知するための制御状況信号ＳCを通信部１１に出力してタイマ割込処理を終了する。
【００３８】
一方、前記ステップＳ２７の判定結果が、Ｖ＜ＶSETのときには、ステップＳ３０に移行してエアコンを停止させるためのエアコン制駆動指令値ＳAをエアコン駆動部１７に出力する。次いで、ステップＳ３１に移行してエアコンを停止したことを車所有者に通知するための制御状況信号ＳCを通信部１１に出力してタイマ割込処理を終了する。
この図３の処理において、ステップＳ２〜Ｓ８が温度制御変更手段に対応し、ステップＳ９、Ｓ１６、Ｓ２２、Ｓ２９、Ｓ３１が制御状況通知手段に対応している。
【００３９】
また、警報制御コントローラ２２では、図４に示す警報制御処理を実行する。
この警報制御処理は、所定時間毎のタイマ割込処理として実行され、先ずステップＳ１０１で、振動センサ１４で検出した振動値Ｆbを読込み、ステップＳ１０２に移行する。
ステップＳ１０２では、前記ステップＳ１０１で読込んだ振動値Ｆbが所定値ＦbTH以上であるか否かを判定し、Ｆb≧ＦbTHであるときには、車内への侵入者を検出したと判断してステップＳ１０３に移行する。
【００４０】
このステップＳ１０３では、警報を発するための警報発生指令値ＳALを警報発生部１８に出力することにより警報を発してからステップＳ１０４に移行する。そして、ステップＳ１０４で、車内への侵入者を検出したことを車所有者に通知するための制御状況信号ＳWAを通信部１１に出力して警報制御処理を終了する。
この図４の処理において、ステップＳ１０４が侵入通知手段に対応している。
【００４１】
したがって、今、炎天下でファン及びエアコンが停止し、窓及びサンルーフが閉成している状態で、車内温度が設定温度（例えば、３５°Ｃ）以上である４０°Ｃで停車中であるものとする。この状態で、車所有者から制御設定情報が送信されていない場合には、図３の車内温度制御処理において、ステップＳ２からステップＳ１０に移行し、車内温度Ｔは設定温度ＴSET以上であるのでステップＳ１２に移行する。ファン及びエアコンは停止し、窓及びサンルーフは閉成している状態であるので、ステップＳ１２からステップＳ１３、Ｓ１４を経てステップＳ１５でファンを駆動させるためのファン制駆動指令値ＳFをファン制駆動部１５に出力することにより、ファンが駆動されて車内送風が行われる。
【００４２】
また、ステップＳ１６で、ファンを駆動したことを車所有者に通知するための制御状況信号ＳCを通信部１１に出力することにより、無線通信によって車所有者が携帯する携帯電話等の通信装置２に車内でファンが駆動されたことが通知される。
その後、ファンが所定時間駆動し続けても車内温度Ｔが設定温度ＴSET以上の状態を継続し、前記ステップＳ１５で“０”にクリアしたカウント値Ｎ1が所定時間ｔ1に相当する設定値ＮS1以上となると、ステップＳ１７からステップＳ１９に移行して、ファンを停止するためのファン制駆動指令値ＳFをファン制駆動部１５に出力することにより、ファンを停止してステップＳ２０に移行する。雨は降っていないので、ステップＳ２０からステップＳ２１に移行して、窓及びサンルーフを開放させるための車窓制駆動指令値ＳWを車窓制駆動部１６に出力することにより、窓及びサンルーフが開放されて車内換気が行われる。
【００４３】
そして、ステップＳ２２で、窓を開放したことを車所有者に通知するための制御状況信号ＳCを通信部１１に出力することにより、無線通信によって車所有者が携帯する携帯電話等の通信装置２に窓及びサンルーフが開放されたことが通知される。
その後、窓及びサンルーフを開放中に雨が降り始め、雨滴センサ１３で検出した雨滴値Ｆaが所定値ＦaTH以上となると、ステップＳ２３からステップＳ２４に移行して、窓及びサンルーフを閉成させるための車窓制駆動指令値ＳWを車窓制駆動部１６に出力することにより、窓及びサンルーフが閉成されて雨が車内へ侵入することを防止する。
【００４４】
一方、雨が降らない状態で窓及びサンルーフの開放を続け、所定時間開放し続けても車内温度Ｔが設定温度ＴSET以上の状態を継続し、前記ステップＳ２１で“０”にクリアしたカウント値Ｎ2が所定時間ｔ2に相当する設定値ＮS2以上となると、ステップＳ２５から前記ステップＳ２４に移行して窓及びサンルーフが閉成される。
そして、ステップＳ２７で、充電電圧センサ２６で検出した車載バッテリー２５の充電電圧Ｖに基づいてバッテリー残量を判定し、バッテリーが残っているときには、ステップＳ２８に移行して、エアコンを駆動させるためのエアコン制駆動指令値ＳAをエアコン制駆動部１７に出力することにより、エアコンが駆動されて車内冷房が行われる。
【００４５】
次いで、ステップＳ２９で、エアコンを作動したことを車所有者に通知するための制御状況信号ＳCを通信部１１に出力することにより、無線通信によって車所有者が携帯する携帯電話等の通信装置２に車内でエアコンが作動されたことが通知される。
その後、エアコンの作動によって車内温度Ｔが設定温度ＴSETより低くなったときには、ステップＳ１０からステップＳ１１に移行して、温度制御を行うファン、車窓及びエアコンをすべて非作動とするための指令値ＳF、ＳW及びＳAを各駆動部１５〜１７に出力することによりエアコンが停止されて、車内温度制御を終了する。
【００４６】
一方、エアコンを駆動し続けることにより、車載バッテリー２５の電圧が少なくなって設定電圧ＶSETを下回ったときには、ステップＳ２７からステップＳ３０に移行して、エアコンを停止させるためのエアコン制駆動指令値ＳAをエアコン制駆動部１７に出力することによりエアコンを停止し、ステップＳ３１で、エアコンを停止したことを車所有者に通知するための制御状況信号ＳCを通信部１１に出力することにより、無線通信によって車所有者が携帯する携帯電話等の通信装置２に車内でエアコンが停止されたことが通知される。
【００４７】
このように、車内温度Ｔが設定温度ＴSET以上であるときには、まずファンを駆動して車内送風を行い、ファンを所定時間駆動しても車内温度が下がらないときには、車窓及びサンルーフを開放して車内換気を行い、窓を所定時間開放しても車内温度が下がらないときには、エアコンを作動して車内冷房を行うので、効率的に温度制御を行うことができる。
【００４８】
また、車所有者が、通信装置２から車内温度を所望設定温度ＦT（例えば、２８°Ｃ）まで下げるようにエアコンを作動させるような制御設定情報を送信した場合には、ステップＳ２からステップＳ３に移行し、所望設定温度ＦTが入力されているのでステップＳ４に移行して、例えば３５°Ｃに設定されている車内温度制御の設定温度ＴSETを車所有者が設定した２８°Ｃに更新する。
【００４９】
次に、エアコン作動指令ＦAが入力されているので、ステップＳ５からステップＳ６に移行して、車載バッテリー２５の充電電圧Ｖの判定を行い、充電電圧Ｖがエアコン作動可能な電圧ＶSET以上であるときには、ステップＳ７で車窓及びサンルーフを閉めると共に、ステップＳ８でエアコンを強制的に作動させ、このことを車所有者へ通知する。
このように、車所有者が携帯する通信装置２によって制御設定情報を送信することにより、車内の制御温度を自由に更新することができると共に、車所有者の所望のタイミングでエアコンを作動させることができるので、車から離れていた車所有者が車内へ戻る直前にエアコンを作動させて所望の温度にしておくことで車内へ戻ってきたときの不快感を抑制することができる。
【００５０】
また、車内温度Ｔが設定温度ＴSET以上であり、窓及びサンルーフを開放して車内換気を行っているときに、盗難目的等で車内へ侵入しようとする者がいるとする。この場合には、侵入者が車内に侵入した際に生じる振動を振動センサ１４で検知し、図４における警報制御処理において、ステップＳ１０２で、振動センサ１４で検出した振動値Ｆbが所定値ＦbTH以上となるので、ステップＳ１０３に移行して警報を発するための警報発生指令値ＳALを警報発生部１８に出力することにより所定時間警報を発する。
【００５１】
そして、ステップＳ１０４で、車内への侵入者を検出したことを車所有者に通知するための制御状況信号ＳWAを通信部１１に出力して警報制御処理を終了する。
このように、振動センサによって侵入者を検知したときには警報を発することができるので、車内換気のために開放された車窓及びサンルーフから車内に侵入した侵入者に対して警告を与えることができると共に、車両周辺の人に異常を報知することができ、侵入者による車内での盗難作業への発展を防止することができる。
【００５２】
また、侵入を検知したときに車所有者に対してこれを通知するので、車所有者は車内での異常を把握して迅速に対応することができる。
したがって、上記実施形態では、車内温度が設定温度以上となったときに、自動的に温度制御装置を駆動させて車内送風、車内換気又は車内冷房を行い、車内温度上昇を抑制するので、車載電子機器や車内への持ち込み物へのダメージを軽減することができると共に、車所有者への不快感を抑制することができる。
【００５３】
また、車内での温度制御状況を、無線通信を用いて車所有者に通知するので、車所有者は車内の温度状況を把握することができると共に、車内温度を車所有者の所望温度に設定することができるので、車内に戻ったときの不快感を抑制することができる。
さらに、車載バッテリーを搭載しているので、比較的消費電力の多い車窓の開閉及びエアコンの駆動を行うことができ、効率的に車内温度制御を行うことができると共に、車載バッテリーの補助として太陽電池を搭載し、比較的消費電力の少ないファンは太陽電池によって駆動するので、車載バッテリーの消費を抑制することができる。
【００５４】
また、雨滴センサで雨滴を検出したときには、窓及びサンルーフを開放することによる車内換気制御の作動を防止すると共に、車内換気制御の作動中にはこれを非作動として窓及びサンルーフを自動的に閉めるので、雨が車内へ吹き込むことを確実に防止することができる。
なお、上記実施形態においては、ファン、車窓及びエアコンの駆動状況を車所有者に通知する場合について説明したが、これに限定されるものではなく、駆動状況通知の要否を車所有者が設定できるようにしてもよく、さらに、駆動状況通知を所定時間ごとに行う等、通知時間間隔を設定できるようにしてもよい。
【００５５】
また、上記実施形態においては、車所有者が携帯する通信装置として携帯電話を適用する場合について説明したが、これに限定されるものではなく、無線通信機能を有し携帯可能な端末であればよい。
【図面の簡単な説明】
【００５６】
【図１】本発明の実施形態における概略構成図である。
【図２】図１の車載モニタ装置のブロック図である。
【図３】本発明の実施形態における温度制御コントローラで実行されるフローチャートである。
【図４】本発明の実施形態における警報制御コントローラで実行されるフローチャートである。
【符号の説明】
【００５７】
１  車載モニタ装置、２  通信装置、３  基地局、１１  通信部、１２  温度センサ、１３  雨滴センサ、１４  振動センサ、１５  ファン制駆動部、１６  車窓制駆動部、１７  エアコン制駆動部、１８  警報装置、２０  温度制御コントローラ、２１  温度制御駆動部、２２  警報制御コントローラ、２５  車載バッテリー、２６  充電電圧センサ、２７  太陽電池
【図１】
2005112129.tif 000003
【図２】
2005112129.tif 000004
【図３】
2005112129.tif 000005
【図４】
2005112129.tif 000006